(57)【要約】【課題】ユーザーが比較読影する際に、表示装置の画質設定を自動的に同一にする画質設定装置及びその制御方法を提供する。【解決手段】画質設定装置は、複数の表示部の画質設定を変更する画質設定装置であって、前記複数の表示部に表示されている画像を見比べる作業である比較読影が行われているかどうか判定する判定部と、前記判定部が、比較読影が行われていると判定した場合に、前記複数の表示部の画質設定を同一にする制御部と、を備えることを特徴とする。【選択図】図２
2017185011.tif 000002
【特許請求の範囲】
【請求項１】
複数の表示部の画質設定を変更する画質設定装置であって、
前記複数の表示部に表示されている画像を見比べる作業である比較読影が行われているかどうか判定する判定部と、
前記判定部が、比較読影が行われていると判定した場合に、前記複数の表示部の画質設定を同一にする制御部と、
を備えることを特徴とする画質設定装置。
【請求項２】
前記判定部は、前記複数の表示部に表示されている画像のそれぞれに関するメタ情報に基づいて、比較読影が行われているかどうか判定する
ことを特徴とする請求項１に記載の画質設定装置。
【請求項３】
前記メタ情報は撮影対象の情報及び撮影日時の情報を含み、
前記判定部は、前記複数の表示部に表示されている画像の撮影対象が少なくとも同一であり、かつ前記画像の撮影日時が異なる場合に、比較読影が行われていると判定する
ことを特徴とする請求項２に記載の画質設定装置。
【請求項４】
前記撮影対象の情報は、患者を識別する情報である
ことを特徴とする請求項３に記載の画質設定装置。
【請求項５】
前記メタ情報は、モダリティの情報をさらに含み、
前記判定部は、前記メタ情報の患者を識別する情報及びモダリティのうち少なくとも１つが同一であり、かつ撮影日時が異なる場合に、比較読影が行われていると判定する
ことを特徴とする請求項４に記載の画質設定装置。
【請求項６】
前記制御部は、前記複数の表示部から主表示部を指定し、前記主表示部の画質設定を前記複数の表示部のうち主表示部以外の表示部に反映させる
ことを特徴とする請求項１〜５のいずれか１項に記載の画質設定装置。
【請求項７】
前記制御部は、前記判定部が比較読影が行われていると判定する前後で、前記複数の表示部のうち表示画像が切り換わっていない表示部を前記主表示部に指定する
ことを特徴とする請求項６に記載の画質設定装置。
【請求項８】
前記画質設定が変更された際に、変更後の画質設定と前記メタ情報を関連付けて操作履歴情報として記憶し、管理する管理部を備え、
前記制御部は、前記操作履歴情報を参照し、前記複数の表示部が表示する画像の患者名及びモダリティの少なくとも１つが同一の操作履歴情報が存在する場合に、前記操作履歴情報に含まれる画質設定を前記複数の表示部に設定する
ことを特徴とする請求項５に記載の画質設定装置。
【請求項９】
前記複数の表示部は、複数の表示装置である
ことを特徴とする請求項１〜８のいずれか１項に記載の画質設定装置。
【請求項１０】
前記複数の表示部は、１台の表示装置に含まれる
ことを特徴とする請求項１〜８のいずれか１項に記載の画質設定装置。
【請求項１１】
前記画質設定は、色温度、色調、色域、ガンマ特性、輝度若しくはコントラスト比またはこれらの組み合わせである
ことを特徴とする請求項１〜１０のいずれか１項に記載の画質設定装置。
【請求項１２】
複数の表示部の画質設定を変更する画質設定装置の制御方法であって、
前記複数の表示部に表示されている画像を見比べる作業である比較読影が行われているかどうか判定する判定ステップと、
前記判定ステップにおいて、比較読影が行われていると判定された場合に、前記複数の表示部の画質設定が同一になる制御ステップと、
を備えることを特徴とする画質設定装置の制御方法。
【請求項１３】
前記判定ステップでは、前記複数の表示部に表示されている画像のそれぞれに関するメタ情報に基づいて、比較読影が行われているかどうか判定される
ことを特徴とする請求項１２に記載の画質設定装置の制御方法。
【請求項１４】
前記メタ情報は撮影対象の情報及び撮影日時の情報を含み、
前記判定ステップでは、前記複数の表示部に表示されている画像の撮影対象が少なくとも同一であり、かつ前記画像の撮影日時が異なる場合に、比較読影が行われていると判定される
ことを特徴とする請求項１３に記載の画質設定装置の制御方法。
【請求項１５】
前記撮影対象の情報は、患者を識別する情報である
ことを特徴とする請求項１４に記載の画質設定装置の制御方法。
【請求項１６】
前記メタ情報は、モダリティの情報をさらに含み、
前記判定ステップでは、前記メタ情報の患者を識別する情報及びモダリティのうち少なくとも１つが同一であり、かつ撮影日時が異なる場合に、比較読影が行われていると判定される
ことを特徴とする請求項１５に記載の画質設定装置の制御方法。
【請求項１７】
前記制御ステップでは、前記複数の表示部から主表示部が指定され、前記主表示部の画質設定が前記複数の表示部のうち主表示部以外の表示部に反映される
ことを特徴とする請求項１２〜１６のいずれか１項に記載の画質設定装置の制御方法。
【請求項１８】
前記制御ステップでは、前記判定ステップにおいて比較読影が行われていると判定される前後で、前記複数の表示部のうち表示画像が切り換わっていない表示部が前記主表示部に指定される
ことを特徴とする請求項１７に記載の画質設定装置の制御方法。
【請求項１９】
前記画質設定が変更された際に、変更後の画質設定と前記メタ情報を関連付けて操作履歴情報として記憶し、管理する管理ステップを含み、
前記制御ステップでは、前記操作履歴情報が参照され、前記複数の表示部が表示する画像の患者名及びモダリティの少なくとも１つが同一の操作履歴情報が存在する場合に、前記操作履歴情報に含まれる画質設定が前記複数の表示部に設定される
ことを特徴とする請求項１６に記載の画質設定装置の制御方法。
【請求項２０】
前記画質設定は、色温度、色調、色域、ガンマ特性、輝度若しくはコントラスト比またはこれらの組み合わせである
ことを特徴とする請求項１２〜１９のいずれか１項に記載の画質設定装置の制御方法。
【請求項２１】
請求項１２〜２０のいずれか１項に記載の画質設定装置の制御方法の各ステップをコンピュータに実行させることを特徴とするプログラム。
【発明の詳細な説明】
【技術分野】
【０００１】
本発明は、画質設定装置および画質設定装置の制御方法に関する。
【背景技術】
【０００２】
医療現場では、詳細な診断を行う、又は病変の転移の有無を確認することを目的として、同一、若しくは異なる部位を異なる撮影方法で撮影する。異なる撮影方法とは、例えば、マンモグラフィ、超音波診断装置、などに代表される複数の医用画像撮像装置（以下、総称してモダリティと記す）による撮影のことを指す。医用画像撮像装置としては他に、コンピュータ断層撮影（Ｃｏｍｐｕｔｅｄ  Ｔｏｍｏｇｒａｐｈｙ）、核磁気共鳴断層撮影（Ｍａｇｎｅｔｉｃ  Ｒｅｓｏｎａｎｃｅ  Ｉｍａｇｉｎｇ）なども挙げられる。医師は１回の診断において、この様な複数モダリティで撮影し得られる、複数の医用画像を用いて診断を行う。その際、医師は複数の医用画像を切り換えながら診断を行い、表示する医用画像のモダリティ特性や自分の好みに応じて、表示装置毎に画質設定を都度変更する。ここで言う、画質設定とは表示モードなどの様に画質に関わる設定項目を指す。具体的には、表示モードとは表示装置のガンマ特性、色域、色調、色温度、コントラスト比などの設定項目を指す。なお、医師は表示装置前面に用意されるメニューボタンを押下し表示されるＯＳＤ画面や、画質設定用のＰＣアプリケーションを操作することで、これらの画質設定を変更することが出来る。
【０００３】
一方、医師は経過観察を目的とし、同一部位を同一のモダリティで異なる時期に撮影した医用画像を表示装置上に並べて表示し診断（比較読影と呼ばれる）するケースがある。その場合、医師は比較画像間のわずかな違いを読み取る必要がある。したがって、比較画像を表示する表示装置が複数になる場合は、表示装置の画質設定を同一にしておく必要がある。
【０００４】
特許文献１には、複数の診断画像を読影する際、同期処理する技術が開示されている。この中では、同期設定手段により同期状態を設定する（例えば、同期スイッチをＯＮにする）ことで、第２の診断画像の付帯情報に基づき、第１の診断画像と同じ態様（角度、回転、拡大、縮小など）となるよう、第２の診断画像を同期処理するとしている。
特許文献２には、同一被写体の比較画像のうち、第１画像の関心領域に対応する第２画像の関心領域を求め、第１画像の関心領域に施された処理（階調強調、拡大など）と同じ処理を、第２画像の関心領域にも施す技術が開示されている。
【先行技術文献】
【特許文献】
【０００５】
【特許文献１】特開２０１１−０８３６１９号公報
【特許文献２】特開２００２−０６３５６３号公報
【発明の概要】
【発明が解決しようとする課題】
【０００６】
しかしながら、特許文献１に開示される技術では、比較画像について同期処理を行いたい場合はユーザーが同期スイッチを手動でＯＮに切り換える必要があり、手間であった。また、特許文献１及び特許文献２に開示される技術には、表示装置本体の画質設定について同期処理を行うことまでは開示されていなかった。
【０００７】
そこで、本発明は、ユーザーが比較読影する際に、表示装置の画質設定を自動的に同一にする画質設定装置及びその制御方法を提供することを目的とする。
【課題を解決するための手段】
【０００８】
本発明の第１態様は、複数の表示部の画質設定を変更する画質設定装置であって、前記複数の表示部に表示されている画像を見比べる作業である比較読影が行われているかどうか判定する判定部と、前記判定部が、比較読影が行われていると判定した場合に、前記複数の表示部の画質設定を同一にする制御部と、を備えることを特徴とする画質設定装置を提供する。
【０００９】
本発明の第２態様は、複数の表示部の画質設定を変更する画質設定装置の制御方法であって、前記複数の表示部に表示されている画像を見比べる作業である比較読影が行われているかどうか判定する判定ステップと、前記判定ステップにおいて、比較読影が行われていると判定された場合に、前記複数の表示部の画質設定が同一になる制御部と、を備えることを特徴とする画質設定装置の制御方法を提供する。
【００１０】
本発明の第３態様は、本発明に係る画質設定装置の制御方法の各ステップをコンピュータに実行させることを特徴とするプログラムを提供する。
【発明の効果】
【００１１】
本発明によれば、ユーザーが比較読影する際に、表示装置の画質設定を自動的に同一にできる。
【図面の簡単な説明】
【００１２】
【図１】実施例１におけるシステム構成図の例
【図２】実施例１における制御部１１の機能ブロック図の例
【図３】実施例１における画像切換部１００で保持する表示画像情報の例
【図４】実施例１における表示装置への画像表示例
【図５】実施例１における比較読影判定部２００の処理フローの例
【図６】実施例１における画質設定制御部３００の処理フローの例
【図７】実施例１における表示装置の画質設定の例
【図８】実施例２における制御部１１の機能ブロック図の例
【図９】実施例２における表示画像の切り換え、メタ情報及び操作履歴情報の例
【図１０】実施例２における画質設定制御部３００の処理フローの例
【図１１】実施例２における表示装置の画質設定の例
【図１２】実施例３におけるシステム構成図の例
【図１３】実施例３における制御部１４００の処理フローの例
【図１４】実施例３における比較読影判定部１３００の処理フローの例
【図１５】実施例４におけるシステム構成図の例
【図１６】実施例４における制御部７００３の機能ブロック図の例
【図１７】実施例４における表示画像情報の例
【図１８】実施例４における表示装置への画像表示例
【図１９】実施例４における比較読影判定部２００の処理フローの例
【図２０】実施例４における画質設定制御部３００の処理フローの例
【図２１】実施例４における分割領域管理部７２００で保持する分割領域情報の例
【図２２】実施例４における表示装置の画質設定の例
【発明を実施するための形態】
【００１３】
本発明の画質設定装置は、複数の表示部の画質設定を変更する装置である。画質設定装置は、判定部と制御部を備える。判定部は、複数の表示部に表示されている画像を見比べる作業である比較読影が行われている（比較読影に適した状態である）かどうか判定する。制御部は、判定部が比較読影が行われている（比較読影に適した状態である）と判定し
た場合に、複数の表示部の画質設定を同一にする。なお、画質設定装置は、表示装置とは別体のＰＣ（パーソナルコンピュータ）に内蔵されていてもよいし、表示装置に内蔵されていてもよい。例えば、本明細書の実施例１〜２、４においては、画質設定装置は表示装置とは別体のＰＣに内蔵される。また、実施例３においては、画質設定装置は表示装置に内蔵される。また、表示部とは、表示装置または表示装置に表示される表示領域のことを指す。例えば、実施例１〜３では表示部とは表示装置のことを意味し、画質設定装置は表示装置の画質設定を変更する。また実施例４では、表示部とは表示領域を意味し、画質設定装置は表示領域の画質設定を変更する。
【００１４】
＜実施例１＞
（構成）
以下、図を参照しながら本発明の実施例１について説明する。図１は、本発明の実施例１の医用画像表示システムの構成図である。医用画像表示システムは、ＰＣ（パーソナルコンピュータ）１０、医用画像表示用表示装置２０、医用画像表示用表示装置３０(以下
、表示装置２０、表示装置３０と呼ぶ)を備える。
【００１５】
ＰＣ１０内の構成について説明する。ＰＣ１０は、制御部１１、記憶部１２、入力制御部１３、通信制御部１４、表示出力部１５、バス１６を備える。前述の各部は、バス１６を介して相互に通信可能である。また、ＰＣ１０は、表示装置に表示される画像の画像データを、通信制御部１４を介して院内ネットワークで接続される不図示の画像サーバーより取得する。
【００１６】
制御部１１は、ＰＣ１０の全体制御を行う。制御部１１は、入力制御部１３からの通知を受けて、表示出力部１５へ表示画像の切り換え要求を行う。また、制御部１１は、表示装置２０、表示装置３０へ表示中の画像情報から比較読影モードであるか否かを判定し、比較読影モードである場合は表示装置の画質設定が同一となるよう制御する。制御部１１の機能詳細については、後述する。また、この場合の画質設定とは、例えば色温度、色調、色域、ガンマ特性、輝度若しくはコントラスト比またはこれらの組み合わせを対象とする設定項目を指す。
【００１７】
記憶部１２は、不揮発メモリやＲＡＭ（Ｒａｎｄｏｍ Ａｃｃｅｓｓ Ｍｅｍｏｒｙ）を備える。不揮発メモリはプログラムを予め保持する。実行時には、不揮発メモリに保持されるプログラムがＲＡＭへ展開されて処理が実行される。
入力制御部１３は、マウスコントローラやキーボード等の入力機器からの操作情報の入力制御を行う。入力制御部１３は、入力情報を制御部１１へ送信する。
【００１８】
通信制御部１４は、表示装置２０及び表示装置３０との通信を行う。通信制御部１４は、制御部１１より要求を受けて、表示装置２０及び表示装置３０へ画質設定の取得要求、反映要求などの通信を行う。通信制御部１４は、表示装置２０、表示装置３０とＵＳＢ（Ｕｎｉｖｅｒｓａｌ Ｓｅｒｉａｌ Ｂｕｓ）やＬＡＮ（Ｌｏｃａｌ Ａｒｅａ Ｎｅｔｗｏｒｋ）等の通信ケーブルを介して接続される。
【００１９】
表示出力部１５は、制御部１１より受信する表示画像を映像信号へ変換し、映像信号を表示装置２０や表示装置３０へ送信する。表示出力部１５は、表示装置２０及び表示装置３０とＤＶＩ（Ｄｉｇｉｔａｌ Ｖｉｓｕａｌ Ｉｎｔｅｒｆａｃｅ、登録商標）やＤｉｓｐｌａｙＰｏｒｔ（登録商標）等の規格に準じた映像信号ケーブルを介して接続される。
バス１６は、ＰＣ１０内の各部を接続する。バス１６を介して、各部間を相互通信可能となる。
【００２０】
後述する制御部１１の各機能は、記憶部１２の不揮発メモリに格納されているプログラ
ムを、制御部１１が備えるＣＰＵが実行することによって実現される。ただし、制御部１１の一部または全部の機能をＡＳＩＣやＦＰＧＡなどの回路で実現してもよい。
【００２１】
次に、表示装置２０内の構成について説明する。表示装置２０は、通信制御部２１、表示制御部２２、制御部２３、記憶部２４、操作部２５、バス２６、表示パネル２７を備える。各部は、バス２６を介して相互に通信可能である。
【００２２】
通信制御部２１は、ＰＣ１０との通信制御を行う。通信制御部２１は、受信した処理内容を制御部２３へ通知する。
表示制御部２２は、例えば表示装置２０が液晶表示装置である場合、ＰＣ１０より取得した映像信号を後述する表示パネルへ表示出力する。表示制御部２２は、ＰＣ１０と、ＤＶＩやＤｉｓｐｌａｙＰｏｒｔ等の映像信号ケーブルを介して接続される。
【００２３】
制御部２３は、表示装置２０内のバス２６を介して、表示装置２０内の各部の制御を行う。制御部２３は、通信制御部２１を介してＰＣ１０より受信した画質設定の取得要求に応じて、記憶部２４に記憶する現在の画質設定をＰＣ１０へ送信するよう制御する。また、制御部２３は、通信制御部２１を介してＰＣ１０より受信した画質設定の反映要求に応じて、表示装置２０の画質設定を変更する。
【００２４】
記憶部２４は、不揮発メモリやＲＡＭを備える。不揮発メモリはプログラムを予め保持している。不揮発メモリに保持されるプログラムは、実行時にはＲＡＭへ展開して処理が実行される。また、記憶部２４には現在の画質設定が記憶され、制御部２３により参照される。
【００２５】
操作部２５は、表示装置２０が備える操作ボタン等の入力制御を行う。操作部２５は、入力情報を制御部２３へ送信する。
バス２６は表示装置２０内の各部を接続する。バス２６を介して、各部は相互通信可能となる。
【００２６】
表示パネル２７は、本明細書では表示装置が液晶表示装置であるものとして、液晶パネルとバックライトを備える。表示パネル２７は、表示制御部２２から受信した映像信号に基づく画像を表示する。ただし、本発明の適用対象を考慮する上で、表示装置は液晶表示装置に限定されない。たとえば、表示装置は、有機ＥＬ表示装置、ＣＲＴ、プラズマ表示装置、スクリーンなどへの投影装置など、画質設定が変更可能な表示装置であれば本発明の適用が可能である。
【００２７】
通信制御部２１、表示制御部２２及び制御部２３の各機能は、記憶部２４が備える不揮発メモリに格納されたプログラムがＲＡＭに展開され、ＣＰＵが実行することにより実現される。ただし、通信制御部２１、表示制御部２２及び制御部２３の一部または全部の機能をＡＳＩＣやＦＰＧＡなどの回路で実現してもよい。
また、表示装置３０内の構成については、表示装置２０と同等の機能を有するため説明は省略する。
【００２８】
（機能）
ＰＣ１０の制御部１１の機能について、図２に示す制御部１１の機能ブロックの構成を用いて説明する。制御部１１は、画像切換部１００と比較読影判定部２００と画質設定制御部３００を備える。これらの機能ブロックは、特定のＰＣアプリケーションプログラムで実現される。ＰＣアプリケーションプログラムとは、例えば、ビューワーアプリケーションなどのアプリケーションプログラムである。例えば、ユーザーがマウスやキーボードを用いて、ビューワーアプリケーションのＧＵＩ画面に用意されるボタンを操作し、表示
画像の切り換え操作を行うとする。すると、入力制御部１３は画像切換部１００へ表示画像の切り換え要求を行う。
【００２９】
画像切換部１００は、入力制御部１３からの表示画像の切り換え要求を取得すると、表示出力部１５へ画像の表示切り換え要求を行う。また、画像切換部１００は、現在画像を表示している表示装置の情報や、各表示装置にどの画像が表示されているかなどの、画像の表示状態に関する情報（以下、「表示画像情報」と呼ぶ）を保持する。表示画像情報は、記憶部１２に記憶され、画像表示状態が変わる度に上書きされる。
【００３０】
図３（ａ）、図３（ｂ）に、画像切換部１００が保持する表示画像情報の例を示す。表示画像情報は、表示装置を識別可能なＩＤ情報（以下、「表示装置ＩＤ」と呼ぶ）５０と、表示画像ファイルを識別可能なＩＤ情報（以下、「表示画像ファイルＩＤ」と呼ぶ）５１と切り換えフラグ５２を含む。
【００３１】
表示画像情報について、図４（ａ）、図４（ｂ）に示す表示装置への画像表示例を用いて説明する。図４（ａ）の例では、表示装置２０はマンモグラフィで撮影した画像（「表示画像ファイルＩＤ＝ＩＭＧ００１」）を表示している。また、表示装置３０は、ＣＴで撮影した画像（「表示画像ファイルＩＤ＝ＩＭＧ００２」）を表示している。この際、表示画像情報は、図３（ａ）に示すように、表示装置２０にＩＭＧ００１の画像を、表示装置３０にＩＭＧ００２の画像を表示中であることを示す情報となる。また、この時点では表示画像の切り変え操作は行われていないため、何れの表示装置に対しても切り換えフラグは立っていない。
【００３２】
次に、ユーザーが表示装置３０に表示する画像を切り換えた際の、表示画像情報の変化について説明する。図４（ｂ）に示すように、表示装置３０に表示する画像をマンモグラフィで撮影した画像（表示画像ファイルＩＤ＝ＩＭＧ００３）へ切り換えたとする。この際、表示画像情報には、図３（ｂ）に示すとおり、表示装置３０はＩＤ＝ＩＭＧ００３の画像を表示中であるという情報が上書きされる。この際、表示装置３０の切り換えフラグ＝１となり（図３（ｂ）の符号５４）、表示画像の切り換わった表示装置と切り換わっていない表示装置を区別することができる。また、ユーザーが表示画像を切り換えた際に、入力制御部１３は制御部１１内の比較読影判定部２００に表示画像の切り換え通知を送信する。なお、例えば表示装置２０の画像が切り換わった場合、即ち表示装置２０の切り換えフラグ＝１となったタイミングで、表示装置３０の切り換えフラグはリセットされるものとする。
【００３３】
比較読影判定部２００は、入力制御部１３より表示画像の切り換え通知を受信すると、ユーザーが複数の表示装置に表示されている画像を見比べている作業である比較読影モードであるか否かを判定する。比較読影判定部２００は、本発明の判定部に相当する。比較読影判定部２００の処理詳細について、図５に示す処理フロー図を用いて説明する。
【００３４】
（比較読影モードの判定フロー）
ステップＳ２０１において、比較読影判定部２００は、入力制御部１３からの表示画像の切り換え通知待ちを行う。比較読影判定部２００は、入力制御部１３からの表示画像の切り換え通知を受信すると（ステップＳ２０１：ＹＥＳ）、画像切換部１００へ表示画像情報を問い合わせる。切り換え通知が届かない場合（ステップＳ２０１：ＮＯ）、比較読影判定部２００は切り換え通知待ちを続ける。
【００３５】
ステップＳ２０２では、比較読影判定部２００は、画像切換部１００の表示画像情報を参照して、複数台の表示装置が画像を表示しているか確認する。現在、複数台の表示装置が画像を表示中でなければ特定の処理は実行されず、処理を終了する（ステップＳ２０２
：ＮＯ）。複数台の表示装置が画像を表示している場合（ステップＳ２０２：ＹＥＳ）、ステップＳ２０３に進む。
【００３６】
ステップＳ２０３及び２０４では、比較読影判定部２００は、複数の表示部に表示されている画像のそれぞれに関するメタ情報に基づいて、比較読影が行われている（比較読影に適した状態である）かどうか判定する。ステップＳ２０３及び２０４で比較読影判定部２００が、比較読影が行われている（比較読影に適した状態である）と判定した場合、ステップＳ２０５で比較読影判定部２００は画質設定制御部３００に比較読影モード通知を送信する。以下、ステップＳ２０３およびステップＳ２０４の処理を詳述する。
【００３７】
ステップＳ２０３では、比較読影判定部２００は各表示装置に表示中の画像のメタ情報を比較し、比較読影が行われている（比較読影に適した状態である）かどうか判定するために、メタ情報に基づいて設けられた判定条件を満足するかどうか判定する。以下に、判定条件の例を示す。
判定条件の第１の例について説明する。メタ情報は撮影対象の情報及び撮影日時の情報を含む。比較読影判定部２００は、複数の表示装置に表示されている画像の撮影対象が少なくとも同一であり、かつ画像の撮影日時が異なるかどうかを判定する。
判定条件の第２の例について説明する。第２の判定条件は、第１の判定条件における撮影対象の情報が患者を識別する情報とした場合である。すなわち、メタ情報は患者を識別する情報及び撮影日時の情報を含む。比較読影判定部２００は、複数の表示装置に表示されている画像の撮影対象が少なくとも同一であり、かつ画像の撮影日時が異なるかどうかを判定する。
判定条件の第３の例について説明する。第３の判定条件は第２の判定条件に加えてモダリティの条件を更に含む。すなわち、メタ情報は患者を識別する情報、撮影日時の情報及びモダリティの情報を含む。比較読影判定部２００は、メタ情報の患者を識別する情報及びモダリティが少なくとも同一であり、かつ撮影日時が異なるかどうかを判定する。
判定条件の第４の例について説明する。メタ情報は検査ＩＤ、患者名、撮影部位、モダリティ及び撮影日時の情報を含む。比較読影判定部２００は、各表示装置に表示中の画像について、検査ＩＤ、患者名、撮影部位、画像を撮影したモダリティ種類が同一であるか、かつ撮影日時は異なるかどうかを判定する。
いずれの判定条件の場合も、判定条件を満たす場合に（ステップＳ２０３：ＹＥＳ）、ステップＳ２０４へ進み、判定条件を満たさない場合に（ステップＳ２０３：ＮＯ）、処理を終了する。
【００３８】
本実施例では、ステップＳ２０３では、比較読影判定部２００は表示装置２０に表示中の「表示画像ファイルＩＤ＝ＩＭＧ００１」のメタ情報と、表示装置３０に表示中の「表示画像ファイルＩＤ＝ＩＭＧ００３」のメタ情報を比較する。本実施例では、上述の判定条件の第１の例を採用するものとして説明する。比較読影判定部２００は、表示装置２０および表示装置３０に表示されている画像の撮影対象が少なくとも同一であり、かつ画像の撮影日時が異なるかどうかを判定する。判定条件を満たす場合に（ステップＳ２０３：ＹＥＳ）、ステップＳ２０４へ進み、判定条件を満たさない場合に（ステップＳ２０３：ＮＯ）、処理を終了する。
【００３９】
ステップＳ２０４では、ステップＳ２０３での判定結果に基づいて、比較読影判定部２００は比較読影モードであると判定し、比較読影のための画像を表示している表示装置（以下「比較読影表示装置」と呼ぶ）を特定する。本実施例では、比較読影表示装置は、表示装置２０と表示装置３０である。
ステップＳ２０５において、比較読影判定部２００は画質設定制御部３００へ比較読影モード通知を行う。
【００４０】
前述したように、メタ情報は比較読影モードの判定に使用される。比較読影されるのは、例えば、同一患者の同一部位が同一モダリティによって撮影され、かつ撮影日時が異なる画像である。したがって、メタ情報は撮影対象の情報及び撮影日時の情報を含むことが好ましく、さらにモダリティの情報を持つことが好ましい。撮影対象の情報とは、本実施例では具体的には患者名、撮影部位を指すが、他にも患者を識別する情報であれば加えても構わない。例えば、臓器の形態や患者が受けた手術などを情報化しても構わない。
また、ここでは、メタ情報のうち、検査ＩＤ、患者名、撮影部位及びモダリティが同一の場合を比較読影の条件としたが、これらの一部が同一であった場合を比較読影状態の判定条件としてもよい。すなわち、検査ＩＤ、患者名、撮影部位及びモダリティの少なくとも１つが同一であり、かつ撮影日時が異なる場合を比較読影の判定条件とすることができる。
また、判定条件の要素を追加しても構わない。例えば、マンモグラフィの撮影では、複数の角度で撮影されることがある。この場合、撮影角度という情報が判定条件の要素として追加できる。追加要素は、例えば検査ＩＤに割り当て、比較読影の判定に使用してもよい。
【００４１】
（画質設定の処理フロー）
画質設定制御部３００は、比較読影判定部２００より比較読影モード通知を受信すると、比較読影表示装置間の画質設定が同一となるように、通信制御部１４を介して比較読影表示装置の制御を行う。画質設定制御部３００の処理詳細について、図６に示す処理フロー図を用いて説明する。
【００４２】
ステップＳ３０１において、画質設定制御部３００は、比較読影判定部２００からの比較読影モード通知待ちを行う。比較読影判定部２００からの比較読影モード通知が受信されると（ステップＳ３０１：ＹＥＳ）、ステップＳ３０２へ進む。比較読影モード通知が届かない場合（ステップＳ３０１：ＮＯ）、画質設定制御部３００は比較読影モード通知待ちを続ける。
【００４３】
ステップＳ３０２では、画質設定制御部３００は、比較読影表示装置のうち比較読影モードに入る前後で表示画像が切り換わっていない表示装置を画像切換部１００へ問い合わせる。本実施例では、切り換えフラグの立っていない表示装置２０が該当する。
【００４４】
ステップＳ３０３において、画質設定制御部３００は、主表示装置とコピー先表示装置を特定する。画質設定制御部３００は、比較読影表示装置のうち、比較読影モードに入る前後で表示画像が切り換わっていない表示装置を主表示装置と判断する。また、画質設定制御部３００は、比較読影表示装置のうち主表示装置となった表示装置以外の表示装置をコピー先表示装置と判断する。本実施例では、画質設定制御部３００は、表示装置２０が主表示装置、表示装置３０をコピー先表示装置と判断する。
【００４５】
ステップＳ３０４において、画質設定制御部３００は、通信制御部１４を介して主表示装置より現在の画質設定を取得する。ここで、各表示装置の画質設定の例を図７（ａ）、図７（ｂ）に示す。各表示装置は表示モードとＬＤ（Ｌｏｃａｌ  Ｄｉｍｍｉｎｇ、ローカルディミング）の設定項目を有するものとする。ここで、表示モードとは、例えば色温度、色調、色域、ガンマ特性若しくは輝度またはこれらの組み合わせを対象とする設定項目であり、複数のモードの中から選択できるものとする。また、ローカルディミングとは、バックライトの輝度を所定の領域毎に制御する技術であり、表示装置のコントラスト比を変更可能である。本明細書では特に、ＬＤとはローカルディミングの強度の設定項目を指すものとする。ＬＤは、例えば強／中／弱／切の各モードを有し、「強」のモードが最もコントラスト比が高く、「切」のモードが最もコントラスト比が低いものとする。ＬＤについても、各モードから選択できるものとする。
【００４６】
本実施例では当初、図７（ａ）のとおり、表示装置２０には「表示モード＝ＭＯＤＥ０１」、「ＬＤ＝強」が、表示装置３０には「表示モード＝ＭＯＤＥ０２」、「ＬＤ＝切」が設定されているとする。これらの情報は、各表示装置の記憶部２４、記憶部３４にて記憶される。本実施例では、画質設定制御部３００は、主表示装置となる表示装置２０より「表示モード＝ＭＯＤＥ０１」、「ＬＤ＝強」の情報を取得する。
【００４７】
ステップＳ３０５において、画質設定制御部３００は、ステップＳ３０４で主表示装置より取得した画質設定を、通信制御部１４を介してコピー先表示装置へ反映する。具体的には、表示装置３０の画質設定が、「表示モード＝ＭＯＤＥ０１」、「ＬＤ＝強」となるように画質設定反映要求を行う。その結果、図７（ｂ）に示すとおり表示装置３０の画質設定は、「表示モード＝ＭＯＤＥ０１」、「ＬＤ＝強」となり、表示装置２０と同一の設定となる。
【００４８】
このように、比較読影モードに入る前後で表示画像が切り換わっていない表示装置の画質設定と同一となるように、その他の比較読影表示装置が制御される。これにより、ユーザーは表示装置個々に画質設定を行う必要が無くなり、手間を省くことが出来る。その結果、診断効率の向上が期待できる。また、比較読影する表示装置の画質設定が同一になることで、比較画像間のわずかな違いを読み取ることができる。また、自動で画質設定されることにより、ユーザーが手動で画質設定するときに生じ得る誤設定の可能性も低減することができる。なお、本実施例では２台の表示装置を例に説明したが、３台以上の表示装置が接続される場合にも同様の処理を適用可能である。
【００４９】
また、本実施例では、比較読影判定部２００が比較読影モードと判断する情報として、メタ情報を用いるとした。しかし、各表示装置に表示している画像に対して、類似度を算出し、同一の被検体であるかどうか判定し、比較読影を行っているかどうか判断してもよい。類似度の算出には、例えば、パターン認識、画素情報のマッチング処理（画素の差分、エッジ検出）など公知の任意の技術を適用可能である。このような方法によれば、メタ情報のような識別情報を必要とすることなく、画素情報のみから比較読影の判定を実施することができる。
【００５０】
＜実施例２＞
本発明の実施例２について説明する。実施例１では比較読影モードに入る前後で表示画像が切り換わっていない表示装置の画質設定が、その他の比較読影表示装置に適用されるように制御する方法について述べた。実施例２では、過去に診断した際の画質設定の操作履歴情報を記憶し、比較読影時には操作履歴情報の画質設定と同一になるように制御する方法について述べる。なお、実施例２では、実施例１との差分のみ記載するものとする。
【００５１】
本実施例が適用される場合について、図９（ａ−１）、図９（ａ−２）、図９（ａ−３）に示す表示画像切り換え例を用いて説明する。医師は、図９（ａ−１）に示すように、表示装置２０に「表示画像ファイルＩＤ＝ＩＭＧ００１」の画像を表示し診断する。
後日、医師は経過観察として、図９（ａ−２）に示すように、同一部位を同一モダリティで撮影した「表示画像ファイルＩＤ＝ＩＭＧ００２」の画像を表示装置２０に表示する。続いて医師が、図９（ａ−３）に示すように、過去画像との比較読影を行うため表示装置３０へ「表示画像ファイルＩＤ＝ＩＭＧ００１」の画像（ここでは過去画像）を並べて表示することを想定している。
【００５２】
（制御部１１の構成）
図８に、本実施例における制御部１１の機能ブロック図を示す。実施例１との差は画質設定制御部３００と操作履歴情報管理部４００である。
操作履歴情報管理部４００は、医師が診断の際に行った画質設定を表示中である画像のメタ情報と関連付けて記憶する（以下、記憶する情報を操作履歴情報と呼ぶ）。メタ情報とは、例えば、前述したように画像ヘッダ情報に含まれる、検査ＩＤ、患者名、撮影部位、モダリティ種類、撮影日時の情報である。
【００５３】
画質設定を変更する際の各部は、以下のような動作を行う。画質設定の変更の際に、操作履歴情報管理部４００は、操作履歴情報としてメタ情報と変更後の画質設定を関連付けて記憶、管理する。医師が画質設定を変更すると、表示装置２０または表示装置３０がＰＣ１０へ画質設定の変更通知を送る。その際に、ＰＣ１０の操作履歴情報管理部４００が、現在表示中の画像のメタ情報と変更後の画質設定を関連づけて操作履歴情報として記憶する。
【００５４】
図９（ａ−３）に示す操作履歴情報の具体例について、図９（ａ−１）に示す表示画像の切り換え例と、図９（ａ−２）に示すメタ情報の例と、図１１（ａ）に示す表示装置の画質設定の例を用いて説明する。
まず、図９（ａ−１）に示すように、医師が表示装置２０に「表示画像ファイルＩＤ＝ＩＭＧ００１」を表示する。さらに医師が診断する際に、画質設定を「表示モード＝ＭＯＤＥ０１」、「ＬＤ＝強」に変更したとする（図１１（ａ））。ここで、「表示画像ファイルＩＤ＝ＩＭＧ００１」の画像のメタ情報を「検査ＩＤ＝ＥＸＡＭ００１」、「患者名＝ｐａｔｉｅｎｔＡ」、「モダリティ＝マンモグラフィ」とする（図９（ａ−２）参照）。
医師が画質設定を変更すると、操作履歴情報管理部４００が、現在表示中の画像のメタ情報と変更後の画質設定を関連づけて操作履歴情報として記憶する。なお、この場合の操作履歴情報中の具体的なメタ情報とは、「検査ＩＤ＝ＥＸＡＭ００１」、「患者名＝ｐａｔｉｅｎｔＡ」、「モダリティ＝マンモグラフィ」であり、画質設定とは「表示モード＝ＭＯＤＥ０１」、「ＬＤ＝強」である。
【００５５】
（画質設定の制御フロー）
画質設定制御部３００が操作履歴情報を用いて、比較読影表示装置の画質設定を制御する方法について説明する。画質設定制御部３００の処理詳細について、図１０に示す処理フロー図を用いて説明する。
【００５６】
ステップＳ４０１は、実施例１で説明した図６のステップＳ３０１と同じであるため、説明は省略する。
ステップＳ４０２において、画質設定制御部３００は、画像切換部１００へ比較読影中の表示装置に表示している画像を問い合わせる。ここでは図９（ａ−３）に示す表示画像情報を取得する。
【００５７】
ステップＳ４０３において、画質設定制御部３００は、操作履歴情報管理部４００が管理する操作履歴情報を参照する。画質設定制御部３００は、表示画像のメタ情報の要素である検査ＩＤ、患者名、撮影部位、モダリティ種類のそれぞれが一致する操作履歴情報があるか判断する。また、判定条件はこれら要素のうちの一部が操作履歴情報と一致することであることとしてもよい。メタ情報の要素が一致する操作履歴情報が存在する場合（ステップＳ４０３：ＹＥＳ）、ステップＳ４０４に進む。記憶する操作履歴情報がない場合（ステップＳ４０３：ＮＯ）、処理を終了する。
【００５８】
ステップＳ４０４では、画質設定制御部３００は全ての比較読影表示装置に対し、該当する操作履歴情報の画質設定を反映するよう、通信制御部１４を介して制御する。本実施例では、表示装置２０、表示装置３０へ「表示モード＝ＭＯＤＥ０１」、「ＬＤ＝強」となるよう制御を行う。
【００５９】
操作履歴情報管理部４００にて記憶する操作履歴情報について、メタ情報の各要素が一致する操作履歴情報が複数存在する場合、時間的に早く記憶した操作履歴情報が優先されるとする。
【００６０】
その結果、図１１（ｂ）に示すとおり、医師が表示装置２０に「表示画像ファイルＩＤ＝ＩＭＧ００２」の画像を表示し、画質設定を「表示モード＝ＭＯＤＥ０２」、「ＬＤ＝弱」に変更していたとしても、画質設定は操作履歴情報に基づいて変更される。本実施例では、比較読影モードに入ると図１３（ｃ）に示すとおり表示装置２０、表示装置３０は「表示モード＝ＭＯＤＥ０１」、「ＬＤ＝強」となる。
【００６１】
このように、本実施例では、過去に診断した際の画質設定が操作履歴情報として記憶される。比較読影時には操作履歴情報の画質設定が参照され、全ての比較読影表示装置が同一の画質設定となるように自動で制御される。このため、過去に診断した際との見え方が同一となり違和感がなくなる。また、ユーザーは表示装置個々に画質設定を行う必要が無くなり、手間を省くことが出来る。その結果、診断効率の向上が期待できる。また、自動で画質設定されることにより、ユーザーが手動で画質設定するときに生じ得る誤設定の可能性も低減することができる。なお、本実施例における主表示装置は本発明における主表示部に相当し、コピー先表示装置は主表示部以外の表示部に該当する。
【００６２】
なお、本実施例では操作履歴情報の画質設定は固定値であるものとしたが、医師が操作した経過全てを記憶するとしてもよい。例えば、ＬＤ＝強→ＬＤ＝切→ＬＤ＝中という操作履歴を記憶し、比較読影モードに入ると操作履歴に従って表示装置の画質設定を順次切り換えるよう制御するとしてもよい。その際、制御の切り換わりタイミングは、予め定めた所定秒数（例えば１０秒）毎に切り換わるとしてもよいし、ユーザーのキー入力に応じて切り換わるとしてもよい。
【００６３】
＜実施例３＞
（構成）
本発明の実施例３について説明する。実施例１と実施例２では、ＰＣを含むシステム構成を説明した。本実施例では、ＰＣの無いシステム、即ち表示装置のみのシステムにて比較読影モードであるか否かを判定し、複数表示装置間の画質設定を同一となるよう制御する方法について説明する。本実施例では画質設定装置は表示装置に内蔵され、表示装置自身が画質設定の制御を行う。
なお、本実施例では２台の表示装置が接続された環境に於いて、１台を主表示装置として指定し、比較読影モードに入ると主表示装置の画質設定にもう片方の表示装置を合わせるとする。主表示装置の指定の仕方は、例えば、ユーザーが特定の表示装置を主表示装置と指定してもよいし、比較読影のための画像の中から特定の画像を選択し、選択した画像を主表示装置としてもよい。複数の表示装置から主表示装置を指定し、主表示装置の画質設定を複数の表示装置のうち主表示装置以外の表示装置に反映させる点は、実施例１と共通する。
【００６４】
図１２は、本発明の実施例３のシステム構成図である。システムは、表示装置１０００、表示装置２０００、画像サーバー３０００、モダリティ４０００、モダリティ５０００を備える。本実施例では、表示装置２０００を主表示装置とする。
【００６５】
表示装置１０００と表示装置２０００、画像サーバー３０００、モダリティ４０００、モダリティ５０００は通信ケーブルを介して院内ネットワーク（例えば、ＬＡＮ等）で接続される。ここで、モダリティ４０００はマンモグラフィ、モダリティ５０００はＣＴなどのように、各モダリティは異なるモダリティであるとする。
【００６６】
画像サーバー３０００は、モダリティ４０００、モダリティ５０００にて撮影された医用画像データを、院内ネットワークを介して受信し管理する。また、画像サーバー３０００は表示装置１０００、表示装置２０００の要求に応じて画像データを配信する。
【００６７】
表示装置１０００の機能詳細について説明する。表示装置１０００は、通信制御部１１００、表示制御部１２００、比較読影判定部１３００、制御部１４００、操作部１５００、表示パネル１６００を備える。
通信制御部１１００は、画像サーバー３０００及び表示装置２０００との通信を行う。通信制御部１１００は、例えば通信ケーブルを介して院内ネットワークに接続され、画像サーバー３０００より医用画像を受信する。また、通信制御部１１００は、例えばＵＳＢを介して表示装置２０００と接続され、比較読影判定部１３００の要求に応じて比較読影モードの判定に必要な情報の通信を行う。
【００６８】
表示制御部１２００は、通信制御部１１００を介して画像サーバーより受信した画像データを映像信号に変換し、表示パネルへ出力する。
比較読影判定部１３００は、通信制御部１１００を介して表示装置２０００と適宜通信を行い、比較読影モードに入ったか否かを判定する。比較読影モードに入ったと判定した場合、制御部１４００へ比較読影モード通知を送信する。比較読影判定部１３００の機能詳細については、後述する。
【００６９】
制御部１４００は、表示装置１０００全体の制御や画質設定処理を行う。制御部１４００は、比較読影判定部１３００より比較読影モード通知を取得すると、通信制御部１１００を介して表示装置２０００より現在の画質設定を取得し、自表示装置へ反映する。制御部１４００の機能詳細については、後述する。
操作部１５００は実施例１で説明した図１の操作部２５と同等であるため、説明は省略する。
また、表示装置２０００の構成については、表示装置１０００と同等の機能を有するため説明は省略する。
【００７０】
（比較読影の判定フロー）
比較読影判定部１３００の機能詳細について、図１４に示す処理フロー図を用いて説明する。
ステップＳ１３０１において、比較読影判定部１３００は、通信制御部１１００を介して、表示装置２０００に表示中の画像についてメタ情報を取得する。
【００７１】
ステップＳ１３０２において、比較読影判定部１３００は、自表示装置（表示装置１０００）で表示する画像のメタ情報と取得したメタ情報を比較する。具体的には、表示画像のヘッダ情報に含まれる検査ＩＤ、患者名、撮影部位、モダリティ種類が同一であるか、撮影日時は異なるかを判断する。なお、判定条件はこれらのうちの一部であってもよい。比較読影判定部１３００は、これらの条件を満たす場合（ステップＳ１３０２：ＹＥＳ）、ステップＳ１３０４に進む。比較読影判定部１３００は、これらの条件を満たさない場合（ステップＳ１３０２：ＮＯ）、ステップＳ１３０３に進む。
【００７２】
ステップＳ１３０３では、予め定められた一定時間が経過するまで特定の処理は行わない。予め定められた一定時間が経過すると（ステップＳ１３０３：ＹＥＳ）、ステップＳ１３０１へ戻る。ここで予め定められた一定時間とは、例えば１０秒とする。
ステップＳ１３０４では、比較読影判定部１３００は表示装置画質設定制御部３００へ比較読影モード通知を行う。
【００７３】
（制御部１４００の動作フロー）
制御部１４００の機能詳細について、図１３に示す処理フロー図を用いて説明する。
ステップＳ１４０１において、制御部１４００は、比較読影判定部１３００からの比較読影モード通知待ちを行う。制御部１４００は、比較読影判定部１３００からの比較読影モード通知を受信すると（ステップＳ１４０１：ＹＥＳ）、ステップＳ１４０２へ進む。比較読影モード通知が届かない場合（ステップＳ１４０１：ＮＯ）、制御部１４００は比較読影モード通知の受信待ちを続ける。
【００７４】
ステップＳ１４０２では、通信制御部１１００を介して表示装置２０００より現在の画質設定を取得する。
ステップＳ１４０３において、制御部１４００は、ステップＳ１４０２において取得した表示装置２０００の画質設定を自表示装置へ反映する。
【００７５】
このように、ＰＣが存在しない環境においても、比較読影モードであるか否かを判定し、比較読影モードである場合には、表示装置間の画質設定を自動で同一になるよう制御できる。これにより、ユーザーは表示装置個々に画質設定を行う必要が無くなり、手間を省くことが出来る。その結果、診断効率の向上が期待できる。また、比較読影する表示装置の画質設定が同一になることで、医師は比較画像間のわずかな違いを読み取ることができる。また、自動で画質設定されることにより、ユーザーが手動で画質設定するときに生じ得る誤設定の可能性も低減することができる。
【００７６】
なお、本実施例では、比較読影判定部１３００において表示画像のメタ情報の比較を行うことで比較読影モードであるかどうかの判定を行うとした。また、本実施例では表示装置を２台としたが、複数台の表示装置からなるシステムにおいても本実施例は適用可能である。また、実施例１〜３では、表示装置が本発明における「表示部」に相当する。
【００７７】
＜実施例４＞
本発明の実施例４について説明する。実施例１では表示装置２台の構成で説明をした。本実施例の構成は表示装置一台からなり、該表示装置は分割した複数の表示領域を有し、領域毎に画質設定が制御可能である。各表示領域に表示中の画像から比較読影モードであるか否かを判定し、比較読影モードである場合は、各表示領域の画質設定が同一となるよう制御する方法について説明する。なお、実施例４では、実施例１との差分のみ記載するものとする。
【００７８】
（構成）
図１５は、本発明の実施例４の医用画像表示システムの構成図である。システムは、ＰＣ６０００及び表示装置７０００を備える。
ＰＣ６０００内の構成について説明する。ＰＣ６０００は、制御部６００１、記憶部６００２、入力制御部６００３、通信制御部６００４、表示出力部６００５、バス６００６を備える。
【００７９】
制御部６００１は、ＰＣ全体制御を行う。制御部６００１は、入力制御部１３からの通知を受けて、表示出力部１５へ表示画像の切り換え要求を行う。また、制御部６００１は、表示装置７０００の表示領域を分割して、表示中の画像のメタ情報から比較読影モードであるか否かを判定する。比較読影モードである場合は、制御部６００１は比較読影画像を表示する表示領域の画質設定が同一となるよう制御する。制御部６００１の機能詳細については、後述する。
【００８０】
記憶部６００２、入力制御部６００３、通信制御部６００４、表示出力部６００５、バス６００６は、実施例１に記載の記憶部１２、入力制御部１３、通信制御部１４、表示出
力部１５、バス１６と同等であるため、説明は省略する。
【００８１】
表示装置７０００の構成について説明する。表示装置７０００は通信制御部７００１、表示制御部７００２、制御部７００３、記憶部７００４、操作部７００５バス７００６、表示パネル７００７を備える。
また、通信制御部７００１、表示制御部７００２は、実施例１に記載の通信制御部２１、表示制部２２と同等であるため、説明は省略する。
【００８２】
制御部７００３は、実施例１の機能に加え、表示装置内を分割した領域毎に画質設定を制御する。制御部７００３の機能詳細については、後述する。
記憶部７００４、操作部７００５、バス７００６は、実施例１に記載の記憶部２４、操作部２５、バス２６と同等であるため、説明は省略する。
表示パネル７００７は、表示領域を分割して、複数の表示領域を有するものとする。また、各表示領域にそれぞれ異なる画像を表示可能であり、また表示領域毎に画質設定が可能である。
【００８３】
表示装置７０００内の制御部７００３の機能について、図１６に示す機能ブロック図を用いて説明する。
制御部７００３は、領域分割管理部７１００、画質設定制御部７２００を備える。
領域分割管理部７１００は、表示中の画像についての分割領域情報を管理する。分割領域情報とは、具体的には分割領域毎の始点座標と幅と高さ情報である。
画質設定制御部７２００は、領域分割管理部７１００が管理する分割領域毎に画質設定を制御する。画質設定制御部７２００は、本発明の制御部に相当する。
【００８４】
（表示画像情報）
本実施例では、ＰＣ６０００の画像切換部１００で保持する表示画像情報が実施例１と異なる。表示画像情報について、図１７に示す表示画像情報の例を用いて説明する。本実施例での表示画像情報は、図１７に示すような画像を表示する分割領域を識別可能な領域Ｎｏ．８０、始点８１と幅高さ８２と、該領域に表示中の表示画像ファイルＩＤ８３と切り換えフラグ８４を含む。ここで、図１７に示すとおり、「領域Ｎｏ．＝０１」は表示装置の左半分、即ち「始点＝（０，０）」、「幅高さ＝（１５００，１０００）」の領域とする。また、「領域Ｎｏ．＝０２」は表示装置の右半分、即ち「始点＝（１５００,０）
」、「幅高さ＝（１５０００，１０００）」の領域とする。
【００８５】
表示画像を切り替えた際の表示画像情報の変化について、図１８（ａ）、図１８（ｂ）に示すように、表示装置７０００の各表示領域に画像表示した例を用いて説明する。図１８（ａ）に示す表示装置の「領域Ｎｏ．＝０１」には、マンモグラフィで撮影した画像（「表示画像ファイルＩＤ＝ＩＭＧ００１」）が表示されているとする。一方、図１８（ｂ）に示す表示装置の「領域Ｎｏ．＝０２」には、ＣＴで撮影した画像（「表示画像ファイルＩＤ＝ＩＭＧ００２」）が表示されているとする。また、この時点では表示画像の切り変え操作は行われていないため、何れの表示領域も切り換えフラグは立っていない状態とする。
【００８６】
次に、ユーザーが「領域Ｎｏ．＝０２」に表示する画像を切り換えた場合の表示画像情報の変化について説明する。図１８（ｂ）に示すように「領域Ｎｏ．＝０２」に表示する画像が、マンモグラフィで撮影した画像（「表示画像ファイルＩＤ＝ＩＭＧ００３」）へ切り換えられたとする。この際、表示画像情報には、図１７（ｂ）の符号８５に示すとおり、「領域Ｎｏ．＝０２」に「表示画像ファイルＩＤ＝ＩＭＧ００３」の画像を表示中であるという情報が上書きされる。この際、「領域Ｎｏ．＝０２」の切り換えフラグ＝１となり（図１７（ｂ）の符号８６）、表示画像の切り換わった領域と切り換わっていない領
域を区別することができる。
【００８７】
（比較読影判定フロー）
ここで、ＰＣ６０００の制御部６００１内にある比較読影判定部２００の処理詳細について、図１９に示す処理フロー図を用いて説明する。
ステップＳ６２０１は、図５のステップＳ２０１と同等であるため、説明は省略する。
ステップＳ６２０２において、比較読影判定部２００は、画像切換部１００へ表示画像情報を問い合わせ、領域を分割して画像を表示中かを判定する。領域を分割して画像を表示中の場合（ステップＳ６２０２：ＹＥＳ）、ステップＳ６２０３へ進む。領域を分割して画像を表示中ではない場合（ステップＳ６２０２：ＮＯ）、処理を終了する。
ステップＳ６２０３からステップＳ６２０５は、図５のステップＳ２０３からステップＳ２０５と同等であるため、説明は省略する。
【００８８】
（画質設定処理フロー）
ＰＣ６０００の制御部６００１内にある画質設定制御部３００の処理詳細について、図２０に示す処理フロー図を用いて説明する。
ステップＳ６３０１は、図６のステップＳ３０１と同等であるため、説明は省略する。
ステップＳ６３０２において、画質設定制御部３００は、画像切換部１００へ、比較読影モードに入る前後で表示画像が切り換わっていない表示領域を問い合わせる。本実施例では、切り換えフラグの立っていない「領域Ｎｏ．＝０１」が該当する。
【００８９】
ステップＳ６３０３において、画質設定制御部３００は、ステップＳ６３０２において取得した比較読影モードに入る前後で表示画像が切り換わっていない領域を主表示領域と判断する。また、画質設定制御部３００は、主表示領域となった領域以外の領域をコピー先表示領域と判断する。本実施例では、画質設定制御部３００は、「領域Ｎｏ．＝０１」を主表示領域、「領域Ｎｏ．＝０２」をコピー先表示領域と判断する。
【００９０】
ステップＳ６３０４において、画質設定制御部３００は通信制御部６００４を介して表示装置７０００より、「領域Ｎｏ．＝０１」の現在の画質設定を取得する。ここで、表示装置７０００の領域分割管理部７２００は、ＰＣ６０００より表示画像が切り換わった通知を受けて、図２１の分割領域情報の例で示すような領域情報を保持している。本実施例では、ＰＣ６０００が保持する表示画像情報と同じように、領域Ｎｏ．、始点座標、幅高さ情報を保持する。また、図２２（ａ）、図２２（ｂ）に表示装置７０００が保持する各表示領域の画質設定の情報の例を示す。ここでは、領域Ｎｏ．と該領域に設定されている画質設定の情報が保持される。図２２（ａ）のように主表示領域である「領域Ｎｏ．＝０１」には「表示モード＝ＭＯＤＥ０１」、「ＬＤ＝強」が設定される。またコピー先表示表示領域である「領域Ｎｏ．＝０２」には、「表示モード＝ＭＯＤＥ０２」、「ＬＤ＝切」が設定されているものとする。
本実施例では、ステップＳ６３０４において、上述の状態にある表示装置７０００より、画質設定制御部３００は、主表示領域である「領域Ｎｏ．＝０１」の画質設定「表示モード＝ＭＯＤＥ０１」、「ＬＤ＝強」の情報を取得する。
【００９１】
ステップＳ６３０５において、画質設定制御部３００は、ステップＳ６３０４おいて取得した主表示領域の画質設定を、通信制御部６００４を介してコピー先表示領域へ反映する。具体的には、画質設定制御部３００は、「領域Ｎｏ．＝０２」が「表示モード＝ＭＯＤＥ０１」、「ＬＤ＝強」となるように画質設定反映要求を行う。その結果、図２２（ｂ）に示すとおり表示装置７０００の「領域Ｎｏ．＝０２」の画質設定は、「領域Ｎｏ．＝０１」と同一の、「表示モード＝ＭＯＤＥ０１」、「ＬＤ＝強」となる。
【００９２】
このように、分割した表示領域毎に画質設定が制御可能な表示装置について、各表示領
域に表示中の画像データから比較読影モードであるか否かを判定し、比較読影モードである場合は、各領域の画質設定が同一となるよう制御できる。ユーザーは表示領域個々に画質設定を行う必要が無くなり、手間を省くことが出来る。その結果、診断効率の向上が期待できる。また、比較読影する表示領域の画質設定が同一になることで、医師は比較画像間のわずかな違いを読み取ることができる。また、自動で画質設定されることにより、ユーザーが手動で画質設定するときに生じ得る誤設定の可能性も低減することができる。
また、実施例４では、表示領域が本発明の「表示部」に相当する。すなわち、表示領域が１台の表示装置に含まれるものとして説明した。なお、本実施例における主表示領域は本発明における主表示部に相当し、コピー先表示領域は主表示部以外の表示部に該当する。
また、実施例４を実施例１〜３と組み合わせて、複数の分割領域を有する複数の表示装置を用いて比較読影し、比較読影表示部の画質設定を行う場合も本発明の範疇に含まれる。
【００９３】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣやＦＰＧＡ）によっても実現可能である。
【００９４】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
【符号の説明】
【００９５】
２０  表示装置
３０  表示装置
２００  比較読影判定部
３００  画質設定制御部
１０００  表示装置
１３００  比較読影判定部
１４００  制御部
２０００  表示装置
【図１】
2017185011.tif 000003
【図２】
2017185011.tif 000004
【図３】
2017185011.tif 000005
【図４】
2017185011.tif 000006
【図５】
2017185011.tif 000007
【図６】
2017185011.tif 000008
【図７】
2017185011.tif 000009
【図８】
2017185011.tif 000010
【図９】
2017185011.tif 000011
【図１０】
2017185011.tif 000012
【図１１】
2017185011.tif 000013
【図１２】
2017185011.tif 000014
【図１３】
2017185011.tif 000015
【図１４】
2017185011.tif 000016
【図１５】
2017185011.tif 000017
【図１６】
2017185011.tif 000018
【図１７】
2017185011.tif 000019
【図１８】
2017185011.tif 000020
【図１９】
2017185011.tif 000021
【図２０】
2017185011.tif 000022
【図２１】
2017185011.tif 000023
【図２２】
2017185011.tif 000024